(57)【要約】【課題】使い勝手がよく、印影に濃淡や欠けが発生しにくい印鑑を提供する。【解決手段】刻印部２１は、ほぼ円柱状に形成されて、下面に苗字や名前が刻印された刻印面２１ａを有し、上面に係合突起２１ｄを有している。把持部２２は、刻印部２１の上部を覆う押圧部２２ａとこの押圧部２２ａから横に延びる把手部２２ｂを備えていて、把手部２２ａの付け根の一方と他方の側面に、それぞれ親指、中指を当てる第１把持面２２ｃ，第２把持面２２ｄを有し、押圧部２２ａの上面に人差し指を当てる押圧面２２ａを有している。刻印部２２は、把持部２２との間にＯリング２４を挟み込み、係合突起２１ｄを、把持部２２側の支持板２３の係合孔に係合させることで、取り付けられている。手や指が自然な状態で、印鑑２を握れる。【選択図】図１
2010058409.tif 000002
【特許請求の範囲】
【請求項１】
下面に刻印面を有する刻印部と、
前記刻印部の上部を覆う押圧部と前記押圧部から横方向に延びる把手部とを有する把持部と、を備え、
前記把持部は、
前記押圧部と前記把手部との間に、親指を一方の側方から当てる第１把持面と、他の指を他方の側方から当てる第２把持面とを有し、前記押圧部の上面に前記親指と前記他の指との間の指を上方から当てる押圧面を有する、
ことを特徴とする印鑑。
【請求項２】
前記第１把持面は、前記親指の形状に倣った凹状に形成されている、
ことを特徴とする請求項１に記載の印鑑。
【請求項３】
前記押圧面は、前記把手部から遠い側が下方に位置するように傾斜している、
ことを特徴とする請求項１又は２に記載の印鑑。
【請求項４】
前記刻印部と前記把持部とが一体に形成されている、
ことを特徴とする請求項１ないし３のいずれか１項に記載の印鑑。
【請求項５】
前記刻印部と前記把持部とが別部材によって構成され、前記刻印部の上部と前記把持部の前記押圧部の下部とのうちの一方に係合凹部が形成され、他方に係合凸部が形成され、これら係合凹部と係合凸部とを係合させることで、前記把持部の前記押圧部に対して前記刻印部が取り付けられている、
ことを特徴とする請求項１ないし４のいずれか１項に記載の印鑑。
【請求項６】
前記刻印部と前記把持部とが別部材によって構成され、前記刻印部の上部と前記把持部の前記押圧部の下部とのうちの一方に係合凹部が形成され、他方に係合凸部が形成され、これら係合凹部と係合凸部とを係脱させることで、前記把持部の前記押圧部に対して前記刻印部が着脱可能である、
ことを特徴とする請求項１ないし４のいずれか１項に記載の印鑑。
【請求項７】
前記把持部は、前記押圧部の下部に前記係合凹部として弾性変形可能な透孔状の係合孔を有し、前記刻印部は、上部に前記係合凸部として、前記係合孔に係脱可能な係合突起を有している、
ことを特徴とする請求項６に記載の印鑑。
【請求項８】
前記刻印部は、上部に前記係合凹部として弾性変形可能な透孔状の係合孔を有し、前記把持部は、前記押圧部の下部に前記係合凸部として、前記係合孔に係脱可能な係合突起を有している、
ことを特徴とする請求項６に記載の印鑑。
【発明の詳細な説明】
【技術分野】
【０００１】
本発明は、押印する際に使用される印鑑に関する。
【背景技術】
【０００２】
書類等に押印する際に使用する印鑑、特に、個人が使用する印鑑は、一般に、柱状（棒状）に形成されていて、長手方向（軸心方向）に対して直交する方向の断面形状が、円形又は楕円形となっている（例えば、特許文献１参照）。
【０００３】
この印鑑は、長手方向の一方の端面となる下面は、苗字や名前が刻印された刻印面となり、長手方向の他方の端面は押圧面となり、これら刻印面と押圧面との間の円筒状又は楕円筒状の外周面は把持面となっている。また、この把持面における下端側には、刻印面の向き、つまり書類等に押印した際の印影の向きを示す切欠，小突起等の目印が付されている。この目印は、押印時に印鑑の把持面（外周面）を自然な状態で親指と人差し指と中指とで握ったときに、例えば、人差し指の指先が当たるように位置決めされており、この状態で、書類等の所定の位置に押印すれば、書類等の上側（上下方向）と、押印後の印影の上側（上下方向）とが一致するようになっている。つまり、書類等に真直ぐに印影を作るための目印である。
【０００４】
書類等の所定の位置への押印に際し、まず、印鑑の把持面（外周面）における下側を、親指と人差し指と中指とで軽く握る。このとき、人差し指の指先が目印に当たり、さらに、人差し指の付け根に押圧面が当たるようにする。この姿勢を維持して、印鑑の刻印面を朱肉やスタンプ台に押し付け、刻印面にインクを付ける。つづいて、書類等の所定の位置に押印する。このとき、押印後の印影が書類等の所定の位置からずれないように注意する。すなわち、押印前に、書類等の所定の位置の上方に、印鑑の刻印面（下面）が位置するようにし、所定の位置と刻印面とを見比べながら、印鑑を徐々に下方に下げて、刻印面が所定の位置に一致するようにする。さらに、刻印面が所定の位置に接触したら、３本の指で押す、あるいはこれに加えて人差し指の付け根で印鑑全体を下方に押圧して、印字面を均一な力で満遍なく書類等に押し付ける。これにより、印影が欠けたり、印影に濃淡が発生したりすることを防止するようにしている。
【特許文献１】特開２００２−２７３９９５号公報
【発明の開示】
【発明が解決しようとする課題】
【０００５】
しかしながら、上述の印鑑によれば、押印に際し、印字面の向きの確認動作が煩雑であり、また、押印位置がズレやすく、さらに、押印後の印影に濃淡や欠けが発生しやすい、という問題があった。
【０００６】
すなわち、上述の目印は、人差し指に対応するとは限らず、例えば、親指に対応する場合もあり、このため、通常、印鑑を３本の指で握って、目印に人差し指又は親指を対応させた後、印鑑の上下（天地）を逆さまにして刻印面の向きが本当に合っているかを、目で確認する動作が行われる。本来、目印は、この確認動作を省略するために付せられたものであるにもかかわらず、実際には、このような確認動作を行う必要があり、煩雑であるという問題があった。また、上述の円筒状又は楕円筒状の印鑑は、その円筒状又は楕円筒状の把持面を３本の指で握った状態においては、印鑑の刻印面がある下面が、親指の陰に隠れて見にくい。このため、書類等の所定の位置に対して、その正しい位置に押印されているか否かを確認しにくく、印影が所定の位置からズレやすいという問題がある。さらに、印鑑を押圧する際に、主に、人差し指の付け根で力を入れるために、押圧力の微妙な調整がしにくく、したがって、印影に濃淡や欠けが発生しやすいという問題がある。
【０００７】
そこで、本発明は、押印に際し、印字面の向きの確認動作が不要であり、また、書類等の所定の位置に正確に押印することができ、さらに、押印後の印影に濃淡や欠けが発生しにくい印鑑を提供することを目的とするものである。
【課題を解決するための手段】
【０００８】
請求項１に係る発明は、印鑑に関する。この発明の係る印鑑は、下面に刻印面を有する刻印部と、前記刻印部の上部を覆う押圧部と前記押圧部から横方向に延びる把手部とを有する把持部と、を備え、前記把持部は、前記押圧部と前記把手部との間に、親指を一方の側方から当てる第１把持面と、他の指を他方の側方から当てる第２把持面とを有し、前記押圧部の上面に前記親指と前記他の指との間の指を上方から当てる押圧面を有する、ことを特徴としている。
【０００９】
請求項２に係る発明は、請求項１に係る印鑑において、前記第１把持面は、前記親指の形状に倣った凹状に形成されている、ことを特徴としている。
【００１０】
請求項３に係る発明は、請求項１又は２に係る印鑑において、前記押圧面は、前記把手部から遠い側が下方に位置するように傾斜している、ことを特徴としている。
【００１１】
請求項４に係る発明は、請求項１ないし３のいずれか１項に係る印鑑において、前記刻印部と前記把持部とが一体に形成されている、ことを特徴としている。
【００１２】
請求項５に係る発明は、請求項１ないし４のいずれか１項に係る印鑑において、前記刻印部と前記把持部とが別部材によって構成され、前記刻印部の上部と前記把持部の前記押圧部の下部とのうちの一方に係合凹部が形成され、他方に係合凸部が形成され、これら係合凹部と係合凸部とを係合させることで、前記把持部の前記押圧部に対して前記刻印部が取り付けられている、ことを特徴としている。
【００１３】
請求項６に係る発明は、請求項１ないし４のいずれか１項に係る印鑑において、前記刻印部と前記把持部とが別部材によって構成され、前記刻印部の上部と前記把持部の前記押圧部の下部とのうちの一方に係合凹部が形成され、他方に係合凸部が形成され、これら係合凹部と係合凸部とを係脱させることで、前記把持部の前記押圧部に対して前記刻印部が着脱可能である、ことを特徴としている。
【００１４】
請求項７に係る発明は、請求項６に係る印鑑において、前記把持部は、前記押圧部の下部に前記係合凹部として弾性変形可能な透孔状の係合孔を有し、前記刻印部は、上部に前記係合凸部として、前記係合孔に係脱可能な係合突起を有している、ことを特徴としている。
【００１５】
請求項８に係る発明は、請求項６に係る印鑑において、前記刻印部は、上部に前記係合凹部として弾性変形可能な透孔状の係合孔を有し、前記把持部は、前記押圧部の下部に前記係合凸部として、前記係合孔に係脱可能な係合突起を有している、ことを特徴としている。
【発明の効果】
【００１６】
請求項１の発明によれば、刻印部の上部を覆う押圧部から把手部が横方向に延び、これら押圧部と把手部との間、つまり把手部の付け根の一方の側面に親指を当てる第１把持面を有し、また、他方の側面に他の指（例えば中指）を当てる第２把持面を有し、さらに、押圧部の上面に親指と他方の指との間の指（例えば人差し指）を上方から当てる押圧面が形成されているので、親指と人差し指と中指の３本の指で、手首や手先が自然な状態で、印鑑を正しく持つ、つまり印鑑をその刻印面が書類等に対して平行を保つように持つことができる。したがって、書類等に押印する際も、手首や手先が自然な状態で刻印面を、書類等に対し均等な力で押し付けることができ、押印後の印影の濃度むらや欠けを防止することができる。さらに、印鑑を３本の指で握った状態において、親指がほぼ水平方向に延びているので、従来の円柱状の印鑑を３本の指で握ったときに親指がほぼ垂直方向を向く場合と異なり、印鑑の下端（刻印面のある部分）が使用者からよく見えるので、書類等の押印をすべき所定の位置に正しく押印することができる。
【００１７】
請求項２の発明によれば、親指が当たる部分に凹状に形成されているので、一層、握りやすくなる。
【００１８】
請求項３の発明によれば、押圧面は、把手部から遠い側が下方に位置するように傾斜しているので、親指と他の指（例えば中指）との間の指（例えば人差し指）をこの押圧面に自然な状態で当てることができる。
【００１９】
請求項４の発明によれば、刻印部と把持部とが一体に形成されているので、部品点数を少なくすることができる。
【００２０】
請求項５の発明によれば、刻印部と把持部とが別体に形成されていて、係合凹部と係合凸部とを係合させることで、把持部に対して刻印部を取り付けることができる。したがって、例えば、苗字や名前が異なる印鑑を作成する際には、把持部は共通の把持部を使用し、刻印部はそれぞれ異なるものを準備すればよい。
【００２１】
請求項６の発明によれば、刻印部と把持部とが別体に形成されていて、係合凹部と係合凸部とを係脱させることで、把持部に対して刻印部を着脱することができるので、共通の把持部を使用して、異なる刻印部を簡単に交換することができる。すなわち、複数の印鑑を所有する場合でも、把持部を共通に使用して、刻印部のみを交換すればよい。
【００２２】
請求項７の発明によれば、刻印部の上部の係合突起を、押圧部の下部の弾性変形可能な係合孔に係脱することで、刻印部を把持部に着脱することができる。
【００２３】
請求項８の発明によれば、押圧部の下部の係合突起を、刻印部の上部の弾性変形可能な係合孔に係脱することで、刻印部を把持部に着脱することができる。
【発明を実施するための最良の形態】
【００２４】
以下、本発明に係る印鑑の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２５】
図１（ａ）〜（ｅ）に、実施形態１に係る印鑑１を示す。このうち、図１（ａ）は印鑑１の上面図、（ｂ）は印鑑１の正面図、（ｃ）は印鑑１の下面図、（ｄ）は印鑑１の右側面図、（ｅ）は（ｃ）とは刻印の向きが異なる印鑑１の下面図である。
【００２６】
なお、以下の説明では、印鑑を使用して書類等に押印をする者を「使用者」という。使用者は、右利きであって、印鑑１を使用する際には、印鑑１を右手の親指と中指（他の指）と人差し指（親指と他の指との間の指）で握って使用するものとする。ここで、使用者が左利きである場合には、後述する第１把持面と第２把持面の位置を逆にすることにより、簡単に対応することができる。また、印鑑１の前後左右上下については、図１（ａ），（ｂ）の矢印で示す方向に対応させて説明する。つまり、把手部１２ｂが伸びる方向を「後」、これと逆の方向を「前」、前に向かって左側を「左」、同じく右側を「右」とする。さらに、刻印面１１ａがある側を「下」、これとは反対側を「上」とする。また、印字面１１ａの向きについては、図１（ｃ）の矢印方向を「上側」とする。すなわち、図１（ｃ）では、印字面１１ａに「山田」という苗字を刻印した例を示しているが、矢印方向が上側となるように刻印されている。この矢印方向は、図１（ａ）に示すように、前後方向に対して軸心Ｃを基準にほぼ４５度右回りに回った方向である。この方向は、印鑑１を上述の３本の指で自然に握ったときに、上側を向く方向である。以上の点は、他の実施形態２〜６に付いても同様である。
【００２７】
本実施形態では、印鑑１は、その全体が一つの部材によって構成されている。
【００２８】
図１（ａ）〜（ｄ）示すように、印鑑１は、大別すると刻印部１１と把持部１２とによって構成されている。なお、本実施形態では、図１（ｂ）に示すように、説明の便宜上、刻印部１１と把持部１２との境界を二点鎖線Ａによって示しているが、この境界Ａは、多少ずれることを許容するものである。
【００２９】
刻印部１１は、軸心Ｃを基準とした円柱状に形成されている。下面は、円形に形成されていて、苗字や名前が刻印された刻印面１１ａとなっている。図１（ｃ）では刻印面１１ａに「山田」という表示を刻印した例を示している。同図に示すように、刻印面１１ａは、矢印方向が上側となっている。この上側は、図１（ａ）に示すように、前後方向に対して、軸心Ｃを基準にほぼ４５度程度右回りに回転した位置に設定されている。この位置は、印鑑１を右手の親指と中指と人差し指とで自然に握った際に、例えば、押印すべき書類等に対してほぼ上側を向く位置である。外周面１１ｂは、円筒状に形成されている。この外周面には、上述の刻印の上側を示す切欠や小突起等の目印（不図示）が付されている。これにより、使用者は、押印の際に、この目印を見ることで、刻印面１１ａを見ることなしにその上側を知ることができる。
【００３０】
把持部１２は、刻印部１１の上部を覆う押圧部１２ａと、この押圧部１２ａから横方向（後方）に延びる把手部１２ｂとを有している。押圧部１２ａと把手部１２ｂとの境界近傍、つまり把手部１２ｂの付け根近傍における左側面（一方の側面）には第１把持面１２ｃが形成され、また、右側面（他方の側面）には第２把持面１２ｄが形成されている。第１把持面１２ｃは、使用者が印鑑１を使用する際に、右手の親指が当てられる面であり、親指の指先に倣って、なだらかな凹状に窪んでいる。第２把持面１２ｄは、使用者が印鑑１を使用する際に、右手の中指（他の指）が当てられる面である。つまり、使用者は、印鑑１の使用時に、親指と中指とで、把手部１２ｂの付け根を左右両側から挟み込むことになる。押圧部１２ａは、上面に、使用者の人差し指（親指と他の指との間の指）が当てられる押圧面１２ｅを有している。押圧面１２ｅは、前側斜め上方に向かってに凸状の緩やかな曲面によって構成されていて、前端側が下方に下がるように形成されている。つまり、押圧面１２ｅは、人差し指の先端が、前側斜め上方から当てられるように形成されている。把手部１２ｂは、後端側ほど徐々に細くなるように形成されていて、上面はほぼ平坦となっている。
【００３１】
印鑑１を使用して、書類等に押印するに際し、使用者は、刻印面１１ａが下方に位置するようにして、右手の親指と中指と人差し指とで印鑑を握る。すなわち、第１把持面１２ｃに親指を当て、第２把持面１２ｄに中指を当て、そして、押圧面１２ｅに人差し指を当てた状態で握る。この状態は、鉛筆や万年筆等の筆記具を握る状態に近く、手首や指先が比較的自然な状態で印鑑１を握ることができる。この状態では、刻印面１１ａを書類等に対してほぼ平行に保つことができ、また、刻印面１１ａの上側を書類等の上側と一致させることができる。したがって、書類等に押印する際も、手首や手先が自然な状態で刻印面１１ａを、書類等に対して均等な力で押し付けることができ、押印後の印影の濃度むらや欠けを防止することができる。さらに、印鑑１を３本の指で握った状態において、親指がほぼ水平方向に延びているので、従来の円柱状の印鑑を３本の指で握ったときに親指がほぼ垂直方向を向く場合と異なり、印鑑１の下端（刻印面１１ａのある部分）が使用者からよく見えるので、書類等の押印をすべき所定の位置に正しく押印することができる。また、右手の自然な状態で、印鑑１を握ったときに、上述のように、刻印面１１ａの上側が書類等の上側と自動的に一致するように、把手部１２ｂに対して、刻印面１１ａの上側の向きが設定されている。このため、従来とは異なり、押印に際し、刻印面１１ａの向きを確認する必要がなく、自然な状態で押印したときに、書類等の上側に対して、刻印面１１ａの上側とを一致させることができる。したがって、特に意識することなく、押印後の印影を書類等に対して正しい向きに向けることができる。また、印鑑１を握ったときの手首や指先の姿勢が比較的自然な状態となるので、長時間にわたる押印作業に対しても、疲労を低減させることができる。さらに、本実施形態では、印鑑１全体が１つの部材、例えば、合成樹脂によって形成されているので、部品点数が少なく、またその製造が容易であるので、安価に製造することができる。
【００３２】
なお、上述では、印鑑１の前後方向に対して、刻印面１１ａの向きが４５度傾いている場合を例に説明したが、これに限定されず、例えば、図１（ｅ）に示すように、刻印面１１ａの上側を、印鑑１の前後方向に一致させるようにしてもよい。さらに、印鑑１を右手で自然に握った際に、印鑑１の前後方向がその使用者に対してどの向きを向くかは個人差があるので、印鑑１の前後方向に対する刻印面１１ａの上側の向きは、印鑑１に苗字や名前を刻印する際に、使用者に合わせて決定するようにしてもよい。この場合には、使用者にとって、使い勝手のよい印鑑１とすることができる。
＜実施形態２＞
【００３３】
図２〜図５を参照して、実施形態２に係る印鑑２を説明する。このうち、図２（ａ）は印鑑２の上面図、（ｂ）は印鑑２の正面図、（ｃ）は（ａ）中のＢ−Ｂ線矢視図、（ｄ）は把持部２２の下面図、（ｅ）は印鑑２の右側面図である。図３（ａ）は刻印部２１の上面図、（ｂ）は刻印部２１の正面図、（ｃ）は刻印部２１の右側面図である。図４は、把持部２２の、図２（ａ）中のＢ−Ｂ線矢視拡大図である。図５（ａ）は支持板２３の下面図、（ｂ）は（ａ）中のＤ−Ｄ線矢視図である。
【００３４】
本実施形態においては、印鑑２は、刻印部２１と、把持部２２とに分割されていて、これらを係合させることで構成されている。
【００３５】
図３（ａ）〜（ｃ）に示すように、刻印部２１は、軸心Ｃを基準としたほぼ円柱状に形成されている。下面は、円形に形成されていて、苗字や名前が刻印された刻印面２１ａとなっている。外周面２１ｂは、円筒状に形成されている。刻印部２１の上面には、外周面２１ｂよりも小径の段部２１ｃが円板状に突設されている。この段部２１ｃの外周面には、図２（ｃ）に示すように、弾性を有するＯリング２４が嵌合されている。段部２１ｃの中央には、さらに係合突起（係合凸部）２１ｄが上方に向けて突設されている。係合突起２１ｄは、基端側（下端側）に環状の係合溝２１ｅを有していて、この係合溝２１ｅには、後述する、図５に示す支持板２３が係合されるようになっている。係合溝２１ｅには、周方向の２箇所に、位置決めリブ２１ｆが径方向外側に向かって突設されている。この位置決めリブ２１ｆは、後述する支持板２３の２箇所の切欠２３ｄに係合される。なお、刻印部２１の外周面２１ｂには、刻印面２１ａの上側を示す切欠，小突起等の目印を付けておくとよい。
【００３６】
図２（ａ）〜（ｅ），図４に示すように、把持部２２は、刻印部２１の上部を覆う押圧部２２ａと、この押圧部２２ａから横方向（後方）に延びる把手部２２ｂとを有している。押圧部２２ａと把手部２２ｂとの境界近傍、つまり把手部２２ｂの付け根近傍における左側面（一方の側面）には第１把持面２２ｃが形成され、また、右側面（他方の側面）には第２把持面２２ｄが形成されている。第１把持面２２ｃは、使用者が印鑑２を使用する際に、右手の親指が当てられる面であり、親指の指先に倣って、なだらかな凹状に窪んでいる。第２把持面２２ｄは、使用者が印鑑２を使用する際に、右手の中指（他の指）が当てられる面である。つまり、使用者は、印鑑２の使用時に、親指と中指とで、把手部２２ｂの付け根を左右両側から挟み込むことになる。押圧部２２ａは、上面に、使用者の人差し指（親指と他の指との間の指）が当てられる押圧面２２ｅを有している。押圧面２２ｅは、前側斜め上方に向かってに凸状の緩やかな曲面によって構成されていて、前端側が下方に下がるように形成されている。つまり、押圧面２２ｅは、人差し指の先端が、前側斜め上方から当てられるように形成されている。把手部２２ｂは、後端側ほど徐々に細くなるように形成されていて、上面はほぼ平坦となっている。
【００３７】
図２（ｃ），（ｄ）、図４に示すように、把持部２２は、押圧部２２ａの下面に、円板状の支持板２３（図５参照）が取り付けられる支持板取付部２２ｆが形成され、支持板取付部２２ｆの中心に上述の刻印部２１の係合突起２１ｄが挿入される凹部２２ｇが形成され、支持板収納部２２ｆの周方向に沿っての２箇所に雄ねじ（不図示）が螺合される雌ねじ部２２ｈが螺刻されている。
【００３８】
図５に示すように、支持板２３は、中央に係合孔（係合凹部）２３ａが穿設され、この係合孔２３ａの径方向の２箇所に切欠２３ｄを介して、ねじ孔２３ｂが形成されており、さらに、係合孔２３ａの外側の２箇所に円弧部２３ｃが形成されている。係合孔２３ａは、その内径が、上述の刻印部２１の係合突起２１ｄの外径よりも少し小さく、また、係合溝２１ｅの外径とほぼ同じかわずかに大きく設定されている。２箇所の切欠２３ｄは、印鑑２の前後方向（図１（ａ）参照）に合わせて配置されている。したがって、後述するように、支持板２３の係合孔２３ａに刻印部２１の係合突起２１ｄを係合させ、さらに、これら２つの切欠２３ｄに刻印部２１の２つのリブ２１ｆの位置を合わせたときには、印鑑２の前後方向に対して、刻印面２１ａの上側及び下側を一致させることができる。なお、刻印面２１ａに苗字や名前を刻印する際に、刻印面２１ａの上側及び下側を、２つの前後方向に配列されているリブ２１ｆに対して、適度な角度をもって刻印すれば、印鑑２の前後方向に対して、刻印面２１ａの上側及び下側を傾けることができる。したがって、苗字や名前の刻印字に、この適度な角度を使用者の使い勝手に合わせて適宜に設定することができる。なお、特にリブ２１ｆを設けない場合には、把持部２２の前後方向（印鑑２の前後方向）に対して、刻印部２１をその上側及び下側が任意の位置になるように係合させることができるので、この場合には、使用者は、使用状況に応じて、刻印面２１ａの位置を好適に設定することが可能である。
【００３９】
支持板２３は、図４に示す把持部２２の支持板取付部２２ｆに嵌合した後、ねじ孔２３ｂに雄ねじ（不図示）を通し、この雄ねじを把持部２２の雌ねじ部２２ｈに螺合させることで、把持部２２の固定することができる。支持板２３全体は、比較的柔らかい合成樹脂（プラスチック）によって形成されていて、適度な弾性を有している。
【００４０】
上述構成の印鑑２は、刻印部２１と、支持板２３が固定された把持部２２側を以下のようにして組み立てる（係合させる）。まず、刻印部２１の段部２１ｃにＯリングを嵌める。この状態で、刻印部２１の係合突起２１ｄを支持板２３の係合孔２３ａに下方から係合させる。このとき、支持板２３は、弾性部材によって形成され、さらに、切欠２３ｄ，円弧部２３ｃが設けてあることにより、係合孔２３ａを係合突起２１ｄが通過する際に弾性的に拡開して、係合突起２１ｄの通過を許容する。そして、通過後は、係合孔２３ａは、係合突起２１ｄの基端部の係合溝２１ｅに係合される。
【００４１】
この状態で、刻印部２１と把持部２２とは、係合部以外の部分では、適度な隙間が形成されて、把持部２２に対して刻印部２１が適度に傾斜できるようになっている。つまり、それぞれの軸心Ｃが適度に傾斜できるようになっている。Ｏリング２４は、刻印部２１と把持部２２との間に挟まれて、両者に軽く接触する、あるいは少し潰された状態になっている。したがって、刻印部２１は、把持部２２に対してほぼ係合突起２１ｄの環状溝２１ｅを基準として、少し傾斜することができるようになっている。このとき、係合孔２３ａには、上述の刻印部２１の係合突起２１ｄの係合溝２１ｅが係合される。また、切欠２３ｄには、刻印部２１の位置決めリブ２１ｆが係合されることで、刻印部２１の位置決めがなされる。つまり、把持部２２に対して刻印部２１の刻印面２１ａの上側の位置（実施形態１参照）が正しく向くように位置決めされる。すなわち、後述のように印鑑２を使用して押印する際に、親指と中指と人差し指で自然な状態で把持部２２を握った状態で押印した際に、その印影の上側が、書類等の上側に一致するように、刻印部２２が位置決めされるようになっている。
【００４２】
印鑑２を使用して、書類等に押印するに際し、使用者は、刻印面２１ａが下方に位置するようにして、右手の親指と中指と人差し指とで印鑑を握る。すなわち、第１把持面２２ｃに親指を当て、第２把持面２２ｄに中指を当て、そして、押圧面２２ｅに人差し指を当てた状態で握る。この状態は、鉛筆や万年筆等の筆記具を握る状態に近く、手首や指先が比較的自然な状態で印鑑２を握ることができる。この状態では、刻印面２１ａを書類等に対してほぼ平行に保つことができ、また、刻印面２１ａの上側を書類等の上側と一致させることができる。したがって、書類等に押印する際も、手首や手先が自然な状態で刻印面２１ａを、書類等に対し、均等な力で押し付けることができ、押印後の印影の濃度むらや欠けを防止することができる。さらに、印鑑２を３本の指で握った状態において、親指がほぼ水平方向に延びているので、従来の円柱状の印鑑を３本の指で握ったときに親指がほぼ垂直方向を向く場合と異なり、印鑑２の下端（刻印面２１ａのある部分）が使用者からよく見えるので、書類等の押印をすべき所定の位置に正しく押印することができる。また、右手の自然な状態で、印鑑２を握ったときに、上述のように、刻印面２１ａの上側が書類等の上側と自動的に一致するように、把手部２２ｂに対して、刻印面２１ａの上側の向きが設定されている。このため、従来とは異なり、押印に際し、刻印面２１ａの向きを確認する必要がなく、自然な状態で押印したときに、書類等の上側に対して、刻印面２１ａの上側とを一致させることができる。したがって、特に意識することなく、押印後の印影を書類等に対して正しい向きに向けることができる。また、印鑑２を握ったときの手首や指先の姿勢が比較的自然な状態となるので、長時間にわたる押印作業に対しても、疲労を低減させることができる。
【００４３】
さらに、本実施形態においては、上述のように、刻印部２１は、把持部２２側の、弾性を有する支持板２３によって少し傾斜することが可能に支持され、その上、刻印部２１と把持部２２との間でＯリング２４が潰された状態となっている。このため、印鑑２を使用して押印する際に、把持部２２が正しい位置から少し傾斜した場合であっても、刻印部２１の刻印面２１ａは、書類等に密着されるので、把持部２２を押圧することで、濃淡や欠けのない印影を押印することができる。言い換えると、押印に際し、把持部２２の位置が、多少前後や左右に傾いた場合であっても、刻印部２１が正しい姿勢を保持することができるので、印影の濃淡や欠けを防止することができる。
【００４４】
ここで、図６（ａ）〜（ｄ）を参照して、上述の印鑑２と組み合わせて使用する朱肉台７について説明する。ここで、図６（ａ）は上面図、（ｂ）は正面図、（ｃ）は（ａ）のＥ−Ｅ線矢視図、（ｄ）は（ｃ）の部分拡大図である。
【００４５】
朱肉台７は、底部７ａと外周部７ｂとを有し、上方が開口されたほぼ円筒状に形成されている。外周部７ｂには、周方向を４等分する位置のそれぞれに上方に開口するスリット７ｃが形成されている。これにより外周部７ｂは弾性変形して拡開することが可能となっている。また、外周部７ｂの内面には、内周を８等分する位置のそれぞれに縦方向のガイド凸部７ｄが形成されている。また、外周部７ｂの内周面の上端近傍には、環状の凸部７ｅが突設されている。なお、底部７ａの上面には、朱肉（不図示）が敷設されている。この朱肉台７は、図２に示す印鑑２の刻印部２１に対する着脱が可能である。装着に際しては、環状の凸部７ｅを印鑑２側のＯリング２４が超えるようにすることにより、外れることなく装着状態を維持することができる。また、装着状態で、印鑑２の刻印面２１ａを朱肉台７の底部７ａの朱肉に押し付けることにより、刻印面２１ａに朱肉のインクを付着させることができる。
＜実施形態３＞
【００４６】
図７〜図１０を参照して、実施形態３に係る印鑑３を説明する。このうち、図７（ａ）は印鑑３の上面図、（ｂ）は印鑑３の正面図、（ｃ）は（ａ）中のＢ−Ｂ線矢視図、（ｄ）は把持部３２の下面図、（ｅ）は印鑑３の右側面図である。図８は図７（ｃ）の拡大図である。図９（ａ）は刻印部３１の上面図、（ｂ）は刻印部３１の正面図、（ｃ）は刻印部３１の右側面図である。図１０は、キャップ３３の上面図である。
【００４７】
図９（ａ）〜（ｃ）に示すように、刻印部３１は、ほぼ円柱状に形成されていて、刻印面３１ａと外周面３１ｂと小径部３１ｃと環状凹部３１ｄと板状凹部３１ｅを有している。この刻印部３１の上部には、図８，図１０に示すキャップ３３が装着される。キャップ３３は、図１０に示すように、係合孔（係合凹部）３３ａと２つの切欠３３ｂと円弧状の切り抜きである２つの円弧部３３ｃと、図８に示す円筒状の脚部３３ｄを有しており、脚部３３ｄの内周面における下端には、環状凸部３３ｅが突設されている。キャップ３３は、環状凸部３３ｅを刻印部３１の環状凹部３１ｄに係合させることで装着されている。
【００４８】
把持部３２は、実施形態２の把持部２２と同様の、押圧部３２ａ、把手部３２ｂ、第１把持面３２ｃ、第２把持面３２ｄ、押圧面３２ｅを有している。さらに、把持部３２は、図８に示すように、下部に小径部３２ｆと環状凹部３２ｇとを有していて、この下部にキャップ３４が装着される。キャップ３４は、上述のキャップ３３と同様に形成されていて、円筒状の脚部３４ｄ、環状凸部３４ｅを有している。キャップ３４は、環状凸部３４ｅを押圧部３２ａの環状凹部３２ｇに係合させることで、押圧部３２ａに装着されている。キャップ３４は、押圧部３２ａに装着されることで、係合部材３５を保持している。係合部材３５は、キャップ３４によって把持部３２に固定される大径の台座３５ａと、刻印部３１側のキャップ３３の係合孔３３ａに係合される係合部３５ｂとこれらの間の小径部３５ｃとによって構成されている。すなわち、キャップ３４によって把持部３２側に固定された係合部材３５の係合部３５ｂを、刻印部３１の板状凹部３１に嵌め、さらにキャップ３３の係合孔３３ａに係合させることにより、刻印部３１と把持部３２とを連結している。これにより、把持部３２に対して刻印部３１が適度に傾斜することができるので、上述の実施形態２と同様、把持部３２が多少傾斜した状態で押印を行った場合でも、刻印部３１は、書類等に対して正しい姿勢で押圧されるので、押印後の印影に濃淡や欠けが発生しにくい。
【００４９】
本実施形態３に係る印鑑３は、上述の実施形態２と同様の作用効果を奏することができる。
＜実施形態４＞
【００５０】
図１１〜図１４を参照して、実施形態４に係る印鑑４を説明する。このうち、図１１（ａ）は印鑑４の上面図、（ｂ）は印鑑４の正面図、（ｃ）は（ａ）中のＢ−Ｂ線矢視図、（ｄ）は把持部４２の下面図、（ｅ）は印鑑４の右側面図である。図１２は図１１（ｃ）の拡大図である。図１３（ａ）は刻印部４１の上面図、（ｂ）は刻印部４１の正面図、（ｃ）は刻印部４１の右側面図である。図１４は、キャップ４３の上面図である。
図１４（ａ）〜（ｃ）に示すように、刻印部４１は、ほぼ円柱状に形成されていて、刻印面４１ａと外周面４１ｂと小径部４１ｃと環状凹部４１ｄと台形凹部４１ｅを有している。この刻印部４１の上部には、図１２，図１４に示すキャップ４３が装着される。キャップ４３は、図１４に示すように、係合孔（係合凹部）４３ａと２つの切欠４３ｂと円弧状の切り抜きである２つの円弧部４３ｃと、図８に示す円筒状の脚部４３ｄを有しており、脚部４３ｄの内周面における下端には、環状凸部４３ｅが突設されている。キャップ４３は、環状凸部４３ｅを刻印部４１の環状凹部４１ｄに係合させることで装着されている。
【００５１】
把持部４２は、実施形態２の把持部２２と同様の、押圧部４２ａ、把手部４２ｂ、第１把持面４２ｃ、第２把持面４２ｄ、押圧面４２ｅを有している。さらに、把持部４２は、図１２に示すように、下部に係合突起（係合凸部）４４ａを有している。この係合突起４４ａは、環状部４４ｂや、押圧面４４ｅを形成する被覆部４４ｃを有していて、把持部４２と一体に構成されている。把持部４２は、この係合突起４４ａを刻印部４１の台形凹部４１ｅに嵌め、さらに、キャップ４３の係合孔４３ａに嵌合することで、刻印部４１に取り付けられる。これにより、把持部４２に対して刻印部４１が適度に傾斜することができるので、上述の実施形態２と同様、把持部４２が多少傾斜した状態で押印を行った場合でも、刻印部４１は、書類等に対して正しい姿勢で押圧されるので、押印後の印影に濃淡や欠けが発生しにくい。
【００５２】
本実施形態４に係る印鑑４は、上述の実施形態２と同様の作用効果を奏することができる。
＜実施形態５＞
【００５３】
図１５〜図１８を参照して、実施形態５に係る印鑑５を説明する。このうち、図１５（ａ）は印鑑５の上面図、（ｂ）は印鑑５の正面図、（ｃ）は（ａ）中のＢ−Ｂ線矢視図、（ｄ）は把持部５２の下面図、（ｅ）は印鑑５の右側面図である。図１６は図１５（ｃ）の拡大図である。図１７（ａ）は刻印部５１の上面図、（ｂ）は刻印部５１の正面図、（ｃ）は刻印部５１の右側面図である。図１８は、キャップ５３の上面図である。
図１７（ａ）〜（ｃ）に示すように、刻印部５１は、上述の実施形態４の刻印部４１と同じものである。この刻印部５１の上部には、実施形態４のキャップ４３と同じキャップ５３が装着される。
【００５４】
把持部５２は、実施形態２の把持部２２と同様の、押圧部５２ａ、把手部５２ｂ、第１把持面５２ｃ、第２把持面５２ｄ、押圧面５２ｅを有している。さらに、把持部５２は、図１６に示すように、押圧部５２ａの下面に、段部５２ｆを有しており、この段部５２ｆの中央には、下方に向けて係合突起（係合凸部）５２ｇが突設されている。すなわち、本実施形態においては、係合突起５２ｇは、把持部５２の押圧部５２ａの下面に一体的に形成されている。把持部５２は、段部５２ｆにＯリング２４を装着し、さらに係合突起５２ｇを、刻印部５１ｇ側のキャップ５３に係合させることで、刻印部５１に取り付けられる。これにより、把持部５２に対して刻印部５１が適度に傾斜することができるので、上述の実施形態２と同様、把持部５２が多少傾斜した状態で押印を行った場合でも、刻印部５１は、書類等に対して正しい姿勢で押圧されるので、押印後の印影に濃淡や欠けが発生しにくい。
【００５５】
本実施形態５に係る印鑑５は、上述の実施形態２と同様の作用効果を奏することができる。
＜実施形態６＞
【００５６】
図１９〜図２２を参照して、実施形態６に係る印鑑６を説明する。このうち、図１９（ａ）は印鑑６の上面図、（ｂ）は印鑑６の正面図、（ｃ）は（ａ）中のＢ−Ｂ線矢視図、（ｄ）は把持部６２の下面図、（ｅ）は印鑑６の右側面図である。図２０は図１９（ｃ）の拡大図である。図２１（ａ）は刻印部６１の上面図、（ｂ）は刻印部６１の正面図、（ｃ）は
刻印部６１の右側面図である。図２２は、キャップ６３の上面図である。
【００５７】
図２１（ａ）〜（ｃ）に示すように、刻印部６１は、上述の実施形態２の刻印部２１と同じものであり、上面に段部６１ｃ及び係合突起（係合凸部）６１ｄを有している。
【００５８】
把持部６２は、実施形態２の把持部２２と同様の、押圧部６２ａ、把手部６２ｂ、第１把持面６２ｃ、第２把持面６２ｄ、押圧面６２ｅを有している。さらに、押圧部６２ａの下面に円筒状突起６２ｆを有していて、この内側には、台形凹部６２ｇが形成されている。この円筒状突起６２ｆの外周には、実施形態３のキャップ３４と同様のキャップ６４が装着されている。本実施形態においては、係合突起６１ｄは、刻印部６１と一体に形成されている。把持部６２は、刻印部６１の段部６１ｃにＯリング２４を装着し、キャップ６４を、刻印部６１側の係合突起６１ｄに係合させることで取り付けることができる。これにより、把持部６２に対して刻印部６１が適度に傾斜することができるので、上述の実施形態２と同様、把持部６２が多少傾斜した状態で押印を行った場合でも、刻印部６１は、書類等に対して正しい姿勢で押圧されるので、押印後の印影に濃淡や欠けが発生しにくい。
【００５９】
本実施形態６に係る印鑑６は、上述の実施形態２と同様の作用効果を奏することができる。
【００６０】
以上の実施形態１〜６においては、刻印部がほぼ円柱状である場合を例に説明したが、本発明はこれに限定されるものではなく、楕円の柱状、多角形（例えば、６角形、８角形）の柱状に形成されていてもよく、さらに、ブロック状に形成されていてもよい。
【図面の簡単な説明】
【００６１】
【図１】（ａ）は印鑑１の上面図、（ｂ）は印鑑１の正面図、（ｃ）は印鑑１の下面図、（ｄ）は印鑑１の右側面図、（ｅ）は（ｃ）とは刻印の向きが異なる印鑑１の下面図である。
【図２】図２〜図５は実施形態２に係る印鑑２を説明する図であり、（ａ）は印鑑２の上面図、（ｂ）は印鑑２の正面図、（ｃ）は（ａ）中のＢ−Ｂ線矢視図、（ｄ）は把持部２２の下面図、（ｅ）は印鑑２の右側面図である。
【図３】（ａ）は刻印部２１の上面図、（ｂ）は刻印部２１の正面図、（ｃ）は刻印部２１の右側面図である。
【図４】把持部２２の、図２（ａ）中のＢ−Ｂ線矢視拡大図である。
【図５】（ａ）は支持板２３の下面図、（ｂ）は（ａ）中のＤ−Ｄ線矢視図である。
【図６】（ａ）は上面図、（ｂ）は正面図、（ｃ）は（ａ）のＥ−Ｅ線矢視図、（ｄ）は（ｃ）の部分拡大図である。
【図７】図７〜図１０は実施形態３に係る印鑑３を説明する図であり、（ａ）は印鑑３の上面図、（ｂ）は印鑑３の正面図、（ｃ）は（ａ）中のＢ−Ｂ線矢視図、（ｄ）は把持部３２の下面図、（ｅ）は印鑑３の右側面図である。
【図８】図７（ｃ）の拡大図である。
【図９】（ａ）は刻印部３１の上面図、（ｂ）は刻印部３１の正面図、（ｃ）は刻印部３１の右側面図である。
【図１０】キャップ３３の上面図である。
【図１１】図１１〜図１４は実施形態４に係る印鑑４を説明する図であり、（ａ）は印鑑４の上面図、（ｂ）は印鑑４の正面図、（ｃ）は（ａ）中のＢ−Ｂ線矢視図、（ｄ）は把持部４２の下面図、（ｅ）は印鑑３の右側面図である。
【図１２】図１１（ｃ）の拡大図である。
【図１３】（ａ）は刻印部４１の上面図、（ｂ）は刻印部４１の正面図、（ｃ）は刻印部４１の右側面図である。
【図１４】図１４は、キャップ４３の上面図である。
【図１５】図１５〜図１８は実施形態５に係る印鑑５を説明する図であり、（ａ）は印鑑５の上面図、（ｂ）は印鑑５の正面図、（ｃ）は（ａ）中のＢ−Ｂ線矢視図、（ｄ）は把持部５２の下面図、（ｅ）は印鑑５の右側面図である。
【図１６】図１５（ｃ）の拡大図である。
【図１７】（ａ）は刻印部５１の上面図、（ｂ）は刻印部５１の正面図、（ｃ）は刻印部５１の右側面図である。
【図１８】キャップ５３の上面図である。
【図１９】図１９〜図２２は実施形態６に係る印鑑６を説明する図であり、（ａ）は印鑑６の上面図、（ｂ）は印鑑６の正面図、（ｃ）は（ａ）中のＢ−Ｂ線矢視図、（ｄ）は把持部６２の下面図、（ｅ）は印鑑６の右側面図である。
【図２０】図１９（ｃ）の拡大図である。
【図２１】（ａ）は刻印部６１の上面図、（ｂ）は刻印部６１の正面図、（ｃ）は刻印部６１の右側面図である。
【図２２】図２２は、キャップ６３の上面図である。
【符号の説明】
【００６２】
１，２，３，４，５，６
印鑑
１１，２１，３１，４１，５１，６１
刻印部
１１ａ，２１ａ，３１ａ，４１ａ，５１ａ，６１ａ
刻印面
１１ｂ，２１ｂ，３１ｂ，４１ｂ，５１ｂ，６１ｂ
外周面
１２，２２，３２，４２，５２，６２
把持部
１２ａ，２２ａ，３２ａ，４２ａ，５２ａ，６２ａ
押圧部
１２ｂ，２２ｂ，３２ｂ，４２ｂ，５２ｂ，６２ｂ
把手部
１２ｃ，２２ｃ，３２ｃ，４２ｃ，５２ｃ，６２ｃ
第１把持面
１２ｄ，２２ｄ，３２ｄ，４２ｄ，５２ｄ，６２ｄ
第２把持面
１２ｅ，２２ｅ，３２ｅ，４２ｅ，５２ｅ，６２ｅ
押圧面
２１ｄ，３５ｂ，４４ａ，５２ｇ，６１ｄ
係合突起（係合凸部）
２３ａ，３３ａ，４３ａ，６４ａ
係合孔（係合凹部）
【図１】
2010058409.tif 000003
【図２】
2010058409.tif 000004
【図３】
2010058409.tif 000005
【図４】
2010058409.tif 000006
【図５】
2010058409.tif 000007
【図６】
2010058409.tif 000008
【図７】
2010058409.tif 000009
【図８】
2010058409.tif 000010
【図９】
2010058409.tif 000011
【図１０】
2010058409.tif 000012
【図１１】
2010058409.tif 000013
【図１２】
2010058409.tif 000014
【図１３】
2010058409.tif 000015
【図１４】
2010058409.tif 000016
【図１５】
2010058409.tif 000017
【図１６】
2010058409.tif 000018
【図１７】
2010058409.tif 000019
【図１８】
2010058409.tif 000020
【図１９】
2010058409.tif 000021
【図２０】
2010058409.tif 000022
【図２１】
2010058409.tif 000023
【図２２】
2010058409.tif 000024